(57)【特許請求の範囲】
【請求項１】
壁に開口する換気扇穴を隠蔽する換気扇穴隠蔽枠と、屋内側に設置され、排気ガスを吸い込んで排気する送風機ユニットと、前記送風機ユニットに接続されて前記送風機ユニットが吸い込んだ排気ガスを屋外へ排出する流路を形成する排気管とを有するレンジフードにおいて、
前記換気扇穴隠蔽枠が、前記換気扇穴に対して屋内側から屋外側に向かって嵌合されることにより前記換気扇穴の内壁に沿って配置される嵌合枠部と、前記嵌合枠部の一端に設けられて屋内側と屋外側とを連通する連通孔部を形成された仕切面とを有し、
前記仕切面が、前記壁の屋外側の外壁面付近又は前記外壁面より外側に配置され、前記排気管に接続される接続部を有し、
前記接続部が、嵌合枠部内に突出するように前記仕切面の前記連通孔部の外縁に沿って設けられ、前記接続部の外周面と前記嵌合枠部の内周面との間に隙間を設ける
ことを特徴とするレンジフード。
【請求項２】
請求項１に記載するレンジフードにおいて、
前記嵌合枠部は、前記壁の屋外側の外壁面から突出するように設けられ、
前記接続部は、前記外壁面の外側に配置されている
ことを特徴とするレンジフード。
【請求項３】
請求項２に記載するレンジフードにおいて、
前記外壁面にウェザーカバーが取り付けられ、
前記嵌合枠部は、前記外壁面から突出する部分が前記ウェザーカバーの開口部へ向かって湾曲し、前記ウェザーカバー内に配置されている
ことを特徴とするレンジフード。
【請求項４】
請求項１乃至請求項３の何れか１つに記載するレンジフードにおいて、
前記仕切面は、
取付開口部を形成されており、
前記連通孔部を形成されると共に前記接続部を突設されるものであって、前記取付開口部に対して移動可能に設けられた可動部材と、
前記可動部材と前記仕切面との間の隙間を閉鎖する閉鎖部材と、
前記可動部材及び前記閉鎖部材を前記仕切面に対して固定する固定部材と、
を有することを特徴とするレンジフード。
【請求項５】
請求項４に記載するレンジフードにおいて、
前記換気扇穴隠蔽枠が、少なくとも前記取付開口部の周りに沿って防火部材を一体に取り付けられていることを特徴とするレンジフード。
【請求項６】
請求項１乃至請求項５の何れか１つに記載するレンジフードにおいて、
前記接続部が、前記排気管が接続されるポートを、前記仕切面の前記連通孔部の外縁に接続されるポートに対して偏心させた形状をなし、前記仕切面に対して回動可能に取り付けられている
ことを特徴とするレンジフード。
【請求項７】
請求項１乃至請求項６の何れか１つに記載するレンジフードにおいて、
前記嵌合枠部は、少なくとも前記壁の換気扇穴の内壁に接する面に、防火部材が一体に取り付けられている
ことを特徴とするレンジフード。
【請求項８】
請求項１乃至請求項６の何れか１つに記載するレンジフードにおいて、
少なくとも前記接続部が不燃材を材質とする
ことを特徴とするレンジフード。
【請求項９】
請求項１乃至請求項８の何れか１つに記載するレンジフードにおいて、
前記接続部は、鳥の侵入を防ぐベントキャップが内設されている
ことを特徴とするレンジフード。
【発明の詳細な説明】
【技術分野】
【０００１】
本発明は、調理器具で発生した排気ガスを室内から室外へ排気するレンジフードに関する。
【背景技術】
【０００２】
従来より、図１０に示すように、キッチンの壁１０１には、換気扇２０１が設けられている。換気扇２０１は、換気扇フレーム２０３に回転自在に取り付けられた羽根２０２を回転させることにより、調理器具１０２で発生した煙や油、臭気などを屋外へ排気する。壁１０１の屋内側の内壁面１０１ａには、調理器具１０２で発生した排気ガスを換気扇２０１に集めるための換気扇カバー２０４が、調理器具１０２を覆うように取り付けられている。一方、壁１０１の屋外側の外壁面１０１ｂには、雨などが屋内へ浸入することを防ぐために、ウェザーカバー１０５が取り付けられている。近年、この換気扇２０１を、図１１に示すレンジフード３０１に交換する家庭が増えている。これは、レンジフード３０１が、単に排気を行うだけの換気扇２０１と比べ、多くの機能を備えているからである。
【０００３】
例えば、図１０に示すように、換気扇２０１は、壁１０１に開設された換気扇穴１０３内に設置される。一方、図１１に示すように、レンジフード３０１は、調理器具１０２を覆うように壁１０１に取り付けられ、排気ガスを吸い込んで排気するための送風機ユニット３０２が調理器具１０２の真上に設置されている。そのため、レンジフード３０１は、換気扇２０１と比べ、調理器具１０２で発生した排気ガスを効率良く集めて排気することができる。
【０００４】
また例えば、図１０に示す換気扇２０１は、排気ガスに含まれる油分や埃などが、羽根２０２や換気扇フレーム２０３、換気扇２０１周辺の壁に付着しやすい。そのため、日常的なお手入れは、羽根２０２を換気扇フレーム２０３から取り外して洗浄したり、羽根２０２が取り外された換気扇フレーム２０３や換気扇フレーム２０３の周辺の壁１０１を拭き掃除するなど、換気扇２０１を丸ごと清掃する必要がある。これに対して、図１１に示すレンジフード３０１は、送風機ユニット３０２の吸い込み口を覆うようにフィルタ３０３と整流板３１２がレンジフード本体３０４に取り付けられている。レンジフード３０１は、整流板３１２によって調理器具１０２で発生した排気ガスを送風機ユニット３０２に集める気流を形成し、フィルタ３０３により排気ガスから油分や埃等を除去した後、送風機ユニット３０２から排気ガスを屋外へ排出するようにしている。そのため、レンジフード３０１は、主にフィルタ３０３が汚れることになり、フィルタ３０３をレンジフード本体３０４から取り外して日常的に清掃すれば良い。フィルタ３０３は、換気扇２０１より低い位置に配設されるため、レンジフード本体３０４への着脱が容易である。よって、レンジフード３０１は、換気扇２０１と比べ、日常的なお手入れが簡単である。
【０００５】
換気扇２０１は、次のようにして、レンジフード３０１と交換される。
先ず、図１０に示す換気扇２０１の羽根２０２を換気扇フレーム２０３から取り外す。換気扇フレーム２０３は、換気扇穴１０３の内壁に沿って設けられた木枠１０４に図示しない蝶ネジで固定されている。そこで、図示しない蝶ネジを取り外して換気扇フレーム２０３を木枠１０４から引き出す。そして、図１１（例えば、特許文献１参照。）に示すように、筒状の接続部３０６を有する隠蔽プレート３０５を換気扇穴１０３を塞ぐように屋内から壁１０１の内壁面１０１ａに押し当て、ねじ３１０で隠蔽プレート３０５を木枠１０４に固定する。そして、送風機ユニット３０２を内壁面１０１ａに固定する。そして、送風機ユニット３０２を排気管３０７を介して隠蔽プレート３０５の接続部３０６に接続し、屋内と屋外を連通させる。そして、排気管３０７を隠すように前幕板３０８を取り付ける。尚、木枠１０４と隠蔽プレート３０５の間には、防火部材３０９が取り付けられる。また、隠蔽プレート３０５は、屋外側からパイプフード３１１が取り付けられ、虫や雨水などが屋外から屋内へ侵入しないようにしている。
【先行技術文献】
【特許文献】
【０００６】
【特許文献１】実公昭６３−２８３９号公報
【発明の概要】
【発明が解決しようとする課題】
【０００７】
しかしながら、従来のレンジフード３０１は、隠蔽プレート３０５の接続部３０６が、壁１０１の内壁面１０１ａから屋内側へ突出していた。そのため、送風機ユニット３０２と接続部３０６との間の空間Ｓ２狭く、作業者は、送風機ユニット３０２と接続部３０６を排気管３０７で接続するのに苦労していた。
【０００８】
本発明は、上記問題点を解決するためになされたものであり、配管作業効率向上させることができるレンジフードを提供することを目的とする。
【課題を解決するための手段】
【０００９】
上記課題を解決するために、本発明の一態様に係るレンジフードは、壁に開口する換気扇穴を隠蔽する換気扇穴隠蔽枠と、屋内側に設置され、排気ガスを吸い込んで排気する送風機ユニットと、前記送風機ユニットに接続されて前記送風機ユニットが吸い込んだ排気ガスを屋外へ排出する流路を形成する排気管とを有するレンジフードにおいて、前記換気扇穴隠蔽枠が、前記換気扇穴に対して屋内側から屋外側に向かって嵌合されることにより前記換気扇穴の内壁に沿って配置される嵌合枠部と、前記嵌合枠部の一端に設けられて屋内側と屋外側とを連通する連通孔部を形成された仕切面とを有し、前記仕切面が、前記壁の屋外側の外壁面付近又は前記外壁面より外側に配置され、前記排気管に接続される接続部を有し、前記接続部が、嵌合枠部内に突出するように前記仕切面の前記連通孔部の外縁に沿って設けられ、前記接続部の外周面と前記嵌合枠部の内周面との間に隙間を設ける。
【００１０】
上記構成のレンジフードにおいて、前記嵌合枠部は、前記壁の屋外側の外壁面から突出するように設けられ、前記接続部は、前記外壁面の外側に配置されていることが好ましい。
上記構成のレンジフードは、前記外壁面にウェザーカバーが取り付けられ、前記嵌合枠部は、前記外壁面から突出する部分が前記ウェザーカバーの開口部へ向かって湾曲し、前記ウェザーカバー内に配置されていることが好ましい。
【００１２】
上記構成のレンジフードは、前記仕切面は、取付開口部を形成されており、前記連通孔部を形成されると共に前記接続部を突設されるものであって、前記取付開口部に対して移動可能に設けられた可動部材と、前記可動部材と前記仕切面との間の隙間を閉鎖する閉鎖部材と、前記可動部材及び前記閉鎖部材を前記仕切面に対して固定する固定部材と、を有することが好ましい。
【００１３】
上記構成のレンジフードは、前記換気扇穴隠蔽枠が、少なくとも前記取付開口部の周りに沿って防火部材を一体に取り付けられていることが好ましい。
【００１４】
上記構成のレンジフードは、前記接続部が、前記排気管が接続されるポートを、前記仕切面の前記連通孔部の外縁に接続されるポートに対して偏心させた形状をなし、前記仕切面に対して回動可能に取り付けられていることが好ましい。
【００１５】
上記構成のレンジフードは、前記嵌合枠部は、少なくとも前記壁の換気扇穴の内壁に接する面に、防火部材が一体に取り付けられていることが好ましい。
【００１６】
上記構成のレンジフードは、少なくとも前記接続部が不燃材を材質とすることが好ましい。
【００１７】
上記構成のレンジフードは、前記接続部は、鳥の侵入を防ぐベントキャップが内設されていることが好ましい。
【発明の効果】
【００１８】
上記態様のレンジフードは、換気扇穴隠蔽枠の接続部が、壁の内壁面から屋内へ突出しないので、送風機ユニットと換気扇穴隠蔽枠の接続部との間の空間を広く確保できる。そのため、排気管を送風機ユニットと換気扇穴隠蔽枠の接続部とに接続しやすい。よって、本発明のレンジフードによれば、配管作業効率を向上させることができる。
【００１９】
上記構成のレンジフードは、換気扇枠隠蔽枠の接続部を屋外に設けるので、送風機ユニットと換気扇穴隠蔽枠の接続部との間の空間を広くできる。
上記構成のレンジフードは、外壁面から突出する換気扇穴隠蔽枠がウェザーカバー内に配置されるので、屋外において換気扇穴隠蔽枠がウェザーカバーに隠れて見えにくく、見栄えが良い。
【００２０】
上記構成のレンジフードは、換気扇穴隠蔽枠が換気扇穴の内部に配置され、換気扇穴内壁穴の接続部が壁の内壁面と外壁面との間に配置されて壁の屋外側の外壁面から突出しないので、例えば、外壁面に取り付けられるウェザーカバーによって覆われる空間が狭い場合でも、送風機ユニットと換気扇穴隠蔽枠の接続部との間の空間を広げることができる。
【００２１】
上記構成のレンジフードは、排気管の位置に併せて、可動部材を枠部材に対して固定する位置を調整し、可動部材と枠部材との間に形成される隙間を閉鎖部材で閉鎖することにより、接続部の位置を簡単に調整することができ、配管作業を行いやすい。
【００２２】
上記構成のレンジフードは、換気扇穴隠蔽部材が少なくとも枠部材に防火部材を一体に取り付けられ、防火部材により枠部材と排気管とが隔離されているので、排気管から枠部材を介して換気扇取付穴へ延焼することを防止できる。また、防火部材を枠部材に簡単に取り付けることができる。
【００２３】
上記構成のレンジフードは、接続部が、排気管が接続されるポートを、換気扇穴隠蔽枠に接続されるポートに対して偏心させた形状をなし、換気扇穴隠蔽枠に対して回動可能に取り付けられているので、接続部を換気扇穴隠蔽枠に対して回転させれば、排気管が接続されるポートの位置を簡単に変更することができ、排気管を接続部に接続する配管作業を行いやすい。
【００２４】
上記構成のレンジフードは、換気扇穴隠蔽枠が、少なくとも前記壁の換気扇穴に接する面に、防火部材を一体に取り付けられているので、壁の換気扇穴に換気扇穴隠蔽枠を取り付けると同時に、壁との接触面に防火部材を取り付けることができ、レンジフードの取り付けの作業性が良い。
【００２５】
上記構成のレンジフードは、少なくとも接続部が不燃材を材質としているので、排気管と換気扇穴隠蔽枠とが不燃材を介して隔離されており、排気管から換気扇穴隠蔽枠への延焼を防止することができる。また、防火部材を換気扇穴隠蔽枠に取り付ける作業を省き、レンジフードの交換取り付け作業を簡単に行うことができる。
【００２６】
上記構成のレンジフードは、換気扇穴隠蔽枠の接続部に、鳥の侵入を防ぐベントキャップが内設されているので、鳥が屋外から屋内へ進入することを防ぐことができる。
【図面の簡単な説明】
【００２７】
【図１】本発明の第１実施形態に係るレンジフードの概略構成図である。
【図２】排気管の概略構成図である。
【図３】換気扇穴隠蔽枠の分解斜視図である。
【図４】換気扇穴隠蔽枠の正面図であって、接続部を第１位置に配置した状態を示す。
【図５】換気扇穴隠蔽枠の正面図であって、接続部を第２位置に配置した状態を示す。
【図６】換気扇穴隠蔽枠の正面図であって、接続部を第３位置に配置した状態を示す。
【図７】本発明の第２実施形態に係るレンジフードに適用される換気扇穴隠蔽枠の断面図である。
【図８】可動部材の変形例を示す図である。
【図９】換気扇穴隠蔽枠の変形例を示す図である。
【図１０】換気扇の設置例を示す概略図である。
【図１１】従来のレンジフードの概略構成図である。
【発明を実施するための形態】
【００２８】
以下に、本発明に係るレンジフードの実施形態について、図面を参照して説明する。
【００２９】
（第１実施形態）
＜レンジフードの概略構成＞
図１は、レンジフード１の概略構成図である。
レンジフード１は、図１０に示す換気扇２０１と交換して、調理器具１０２の上方を覆うように設置される。レンジフード１は、レンジフード本体４が壁１０１の内壁面１０１ａに固定されている。レンジフード本体４には、調理器具１０２で発生した排気ガスを吸い込んで排気する気流を形成する送風機ユニット２が内設されている。フィルタ３は、レンジフード本体４に設けられた桟４ａ，４ａに着脱可能に支持され、整流板１２と送風機ユニット２との間に配置されている。換気扇２０１が取り外された換気扇穴１０３は、換気扇穴隠蔽枠５（以下「隠蔽枠５」という。）で塞がれている。排気管７は、送風機ユニット２と隠蔽枠５に接続され、送風機ユニット２が吸い込んだ排気ガスを屋外へ排出する流路を形成している。隠蔽枠５は、鳥が屋外から屋内へ侵入することを防止するためのベントキャップ１１が内設されている。
【００３０】
図２は、排気管７の概略構成図である。
図２に示す排気管７は、図１１に示す蛇腹タイプの排気管３０７とよりも配管スペースを小さくできる構造を有している。すなわち、排気管７は、短いストレート管７１と、エルボ管７２と、長いストレート管７３を接続し、全高Ｈの低いエルボ管７２によって、送風機ユニット２に接続する開口部と、換気扇隠蔽枠５の接続部５７に接続する開口部の向きが小さいスペース内で変えられている。
【００３１】
エルボ管７２は、流路軸線に対して直交する断面が円形状をなす。エルボ管７２は、９０度に屈曲する屈曲部分７２ｅを備え、接続部７２ａ，７２ｂが９０度の位相差で設けられている。屈曲部分７２ｅの内周Ｐ１は、当該屈曲部分７２ｅを形成するために必要な加工幅のみで形成され、短くされている。エルボ管７２は、屈曲部分７２ｅの外周Ｐ２が曲面で形成され、圧損が小さくなるようにされている。このようなエルボ管７２は、屈曲部分７２ｅの内周Ｐ１が短いため、屈曲部分７２ｅの全高Ｈがエルボ管７２の流路断面外径寸法と内周Ｐ１の加工幅とを加算した値となり、狭い範囲で流路の向きを変えることが可能である。接続部７２ｂには、複数（本実施形態では４個）の長溝７２ｄが貫通して形成されている。長溝７２ｄは、接続部７２ｂの円周方向に沿って等間隔に形成されている。長溝７２ｄは、ビス部材７４の軸部と摺動可能であって、溝幅がビス部材７４の頭部の直径より小さくされている。接続部７２ａには、２個のネジ孔７２ｃが対称位置に設けられている。
【００３２】
ストレート管７１，７３の接続部７１ａ，７１ｂ，７３ａ，７３ｂは、エルボ管７２の接続部７２ａ，７２ｂと同様に、ネジ孔７１ｃ，７３ｃと長溝７１ｄ，７３ｄが設けられている。
【００３３】
エルボ管７２は、ストレート管７１の接続部７１ｂが、接続部７２ａに差し込まれ、接続部７１ｂに形成された長溝７１ｄに挿通されたビス部材７４を、接続部７２ａに設けられたネジ孔７２ｃに軽くねじ込んで仮止めした状態で、ストレート管７１に対して回転され、接続部７２ｂの向きを調整される。その後、ビス部材７４をネジ孔７２ｃにしっかりねじ込んで本締めを行うことにより、エルボ管７２は、ストレート管７１に対して固定され、接続される。尚、これと同様にして、ストレート管７３の接続部７３ａも、エルボ管７２の接続部７２ｂに接続される。
【００３４】
＜換気扇穴隠蔽枠の概略構成＞
図３は、隠蔽枠５の分解斜視図である。
隠蔽枠５は、換気扇穴１０３の木枠１０４内に嵌め込まれる枠本体５１を備える。枠本体５１は、一方に開口する箱形状をなし、開口部外縁に沿ってフランジ部５２が設けられている。フランジ部５２には、隠蔽枠５を木枠１０４に固定するための固定ねじ１０が貫き通される貫通孔５３が複数形成されている。枠本体５１は、木枠１０４に沿って配置される側面に、防火部材９が外側から接着剤やねじなどで固定される。防火部材９には、ケイカル板などの不燃材を使用しても良いし、加熱されると膨張して部材同士を隔離させ火を遮断する防火シール材を使用しても良い。枠本体５１は、開口部と対向する面に、取付開口部５４が横長の長方形状に設けられている。取付開口部５４は、接続部形成部材５５により塞がれている。
【００３５】
接続部形成部材５５は、排気管７が接続される接続部５７の配置をフレキシブルに変更できるようにするために、可動部材５６と閉鎖部材５８の二部品で構成されている。可動部材５６は、縦幅が取付開口部５４の縦幅より大きく、横幅が取付開口部５４の横幅より小さい板形状をなす。可動部材５６の一方の面には、排気管７が接続される接続部５７が突設されている。接続部５７の開口部には、エルボ管７２のネジ孔７２ｃと同様にネジ孔５７ｄが形成されている。閉鎖部材５８は、枠本体５１と可動部材５６との間に形成される隙間を閉鎖するために、縦幅が可動部材５６の縦幅と同じ幅（取付開口部５４の縦幅より大きい幅）であって、横幅が可動部材５６の横幅より小さい板形状をなす。可動部材５６と閉鎖部材５８は、挿通孔５９，６０，６１に各々挿通したボルト６２にナット６３を締め込むことにより、枠本体５１に固定される。
【００３６】
＜接続部の配置調整方法＞
次に、接続部５７の配置を調整する方法について説明する。図４、図５、図６は、隠蔽枠５の正面図である。特に、図４は、接続部５７を第１位置に配置した状態を示し、図５は、接続部５７を第２位置に配置した状態を示し、図６は、接続部５７を第３位置に配置した状態を示す。
接続部５７は、可動部材５６の中心部から横方向（水平方向）にずらされて、可動部材５６に設けられている。隠蔽枠５は、可動部材５６の取付方向や取付位置を変えることにより、接続部５７を第１位置、第２位置、第３位置の何れかに選択的に配置できるようになっている。
【００３７】
すなわち、図４に示すように、接続部５７を中央に配置する場合には（この接続部５７の配置を「第１位置」とする。）、閉鎖部材５８を取付開口部５４の図中左端に寄せて配置する。そして、接続部５７が可動部材５６の中心部から左寄りになるように、可動部材５６の向きを変え、可動部材５６を取付開口部５４の図中右端に寄せて配置する。そして、ボルト６２とナット６３で可動部材５６と閉鎖部材５８を枠本体５１に固定する。
【００３８】
また、図５に示すように、隠蔽枠５の正面から見て接続部５７を右よりに配置する場合には（この接続部５７の配置を「第２位置」とする。）、閉鎖部材５８を取付開口部５４の図中左端に寄せて配置する。そして、接続部５７が可動部材５６の中心部から右寄りになるように、可動部材５６の向きを変え、可動部材５６を取付開口部５４の図中右端に寄せて配置する。そして、ボルト６２とナット６３で可動部材５６と閉鎖部材５８を枠本体５１に固定する。
【００３９】
また、図６に示すように、隠蔽枠５の正面から見て接続部５７を左よりに配置する場合には（この接続部５７の配置を「第３位置」とする。）、閉鎖部材５８を取付開口部５４の図中右端に寄せて配置する。そして、接続部５７が可動部材５６の中心部から左寄りになるように、可動部材５６の向きを変え、可動部材５６を取付開口部５４の図中左端に寄せて配置する。そして、ボルト６２とナット６３で可動部材５６と閉鎖部材５８を枠本体５１に固定する。
【００４０】
＜レンジフードの交換手順＞
次に、図１０に示す換気扇２０１をレンジフード１に交換する手順について説明する。
壁１０１の換気扇穴１０３から換気扇２０１を取り外す。そして、送風機ユニット２と換気扇穴１０３の位置関係から、排気管７を接続部５７に接続する位置を予測し、隠蔽枠５に対する接続部５７の配置を調整する。接続部５７の配置調整方法については上述したので、ここでは説明を省略する。そして、隠蔽枠５を換気扇穴１０３に取り付ける。尚、接続部５７には、ベントキャップ１１が装着され、鳥が屋外から屋内へ侵入することを防いでいる。
【００４１】
隠蔽枠５は、枠本体５１の開口部を屋内側へ向けて枠本体５１を壁１０１の木枠１０４内に挿入する。そして、フランジ部５２を壁１０１の内壁面１０１ａに押し当て、ねじ１０をフランジ部５２の貫通孔５３に貫き通して木枠１０４にねじ込む。これにより、枠本体５１と木枠１０４がねじ１０に締め付けられて固定される。このとき、枠本体５１の取付開口部５４は、可動部材５６と閉鎖部材５８によって閉鎖されている。そのため、換気扇穴１０４は、隠蔽枠５によって屋外と屋内とを仕切られる。
【００４２】
ここで、防火対策の１つとして、隠蔽枠５と木枠１０４との間に不燃材を配置する方策がある。本実施形態のレンジフード１は、隠蔽枠５の外側面に予め不燃材の防火部材９が固定されている。そのため、隠蔽枠５を木枠１０４に固定すると同時に、防火部材９を木枠１０４と隠蔽枠５との間に配置する作業を行うことができ、レンジフード１の取り付けの作業性が良い。
【００４３】
そして、レンジフード本体４を壁１０１の内壁面１０１ａに固定する。そして、レンジフード本体４と隠蔽枠５の接続部５７を排気管７で接続する。先ず、ストレート配管７１の接続部７１ａを送風機ユニット２にビス部材７４で固定する。そして、ストレート配管７１の接続部７１ｂとエルボ管７２の接続部７２ａをビス部材７４で固定する。そして、エルボ管７２の接続部７２ｂとストレート管７３の接続部７３ａをビス部材７４で固定する。更に、ストレート管７３の接続部７３ｂを隠蔽枠５の接続部５７にビス部材７４で固定する。
【００４４】
ここで、隠蔽枠５は、接続部５７が、壁１０１の内壁面１０１ａより外側に設けられている。これにより、送風機ユニット２と接続部５７との間の空間Ｓ１が広く確保されている。そのため、配管作業者は、送風機ユニット２と接続部５７を排気管７で接続する作業を行いやすい。よって、本実施形態のレンジフード１によれば、配管作業効率が向上する。
【００４５】
また、本実施形態のレンジフード１は、隠蔽枠５が壁１０１の外壁面１０１ｂから外側に突出せず、接続部５７が換気扇穴１０３内に配置されている。そのため、例えば、外壁面１０１ｂに設けられたウェザーカバー１０５によって覆われる空間Ｓ３が狭くても、送風機ユニット２と隠蔽枠５との間の空間Ｓ１を広げることができる。
【００４６】
また、本実施形態のレンジフード１は、可動部材５６の向きを調整し、可動部材５６と取付開口部５４との間に形成される隙間を閉鎖部材５８で塞ぐことにより、接続部５７の配置を調整できるようにしている。そのため、配管作業時に、接続部５７の位置を送風機ユニット２の配置や排気管７の形状に合わせて簡単に調整することができ、配管作業を行い易い。特に、本実施形態の排気管７は、ストレート管７１とエルボ管７２とストレート管７３を接続して構成されているため、図１１に示す蛇腹タイプの排気管３０７と比べ、接続部５７と接続する開口部の位置（ストレート管７３の接続部７３ｂの位置）が限定されてしまう。このような場合でも、ストレート管７３の接続部７３ｂの位置に対応させて、接続部５７の配置調整を行うことにより、ストレート管７３の接続部７３ｂと隠蔽枠５の接続部５７との位置合わせを容易に行うことができ、ストレート管７３と接続部５７を接続し易い。
【００４７】
そして、上記のように配管された排気管７を隠すように、レンジフードカバー８をレンジフード本体４と壁１０１に固定する。そして、レンジフード本体４にフィルタ３や整流板１２などの各種部品を取り付ける。
【００４８】
尚、接続部５７には、ベントキャップ１１が内設されている。そのため、本実施形態のレンジフード１は、鳥が屋外から屋内へ侵入することを防止できる。
また、レンジフード１は、枠本体５１と壁１０１との間に防火部材９を配設しているので、排気管７から壁１０１への延焼を防ぐことができる。
【００４９】
（第２実施形態）
続いて、本発明の第２実施形態について説明する。図７は、本発明の第２実施形態に係るレンジフードに適用される換気扇穴隠蔽枠８１の断面図である。
本実施形態のレンジフードは、換気扇穴隠蔽枠８１（以下「隠蔽枠８１」という。）を除き、第１実施形態のレンジフード１と構成が共通する。よって、ここでは、隠蔽枠８１を中心に説明し、第１実施形態のレンジフード１と共通する構成は、図面に同一符号を用いて、説明を適宜省略する。
【００５０】
隠蔽枠８１は、枠本体８２の形状が第１実施形態の枠本体５１の形状と異なっている。枠本体８２は、外壁面側側面８３が壁１０１の外壁面１０１ｂから外側に突出し、接続部５７が外壁面１０１ｂの外側に配置されている。外壁面側側面８３は、斜め下向きに設けられ、接続部５７から排気される排気ガスを飛散しないように地面へ向かって排気するようにしている。枠本体８２は、ウェザーカバー１０５内に配置され、外部から見えないようにされている。
【００５１】
本実施形態のレンジフードは、隠蔽枠８１の接続部５７を屋外に設けるので、送風機ユニット２と隠蔽枠８１の接続部５７との間の空間Ｓ４を第１実施形態の空間Ｓ１よりも広くできる。
本実施形態のレンジフードは、外壁面１０１ｂから突出する換気扇穴隠蔽枠８１がウェザーカバー１０５内に配置されるので、屋外において換気扇穴隠蔽枠８１がウェザーカバー１０５に隠れて見えにくく、見栄えが良い。
本実施形態のレンジフードは、接続部５７が壁１０１の外壁面１０１ｂより外側に配置され、ウエザーカバー１０５の下向きに開口する部分へ向けられている。そのため、レンジフードを稼働させた場合に、ウエザーカバー１０５の開口部から接続部５７内への逆風が発生しにくく、排気ガスが排気管７から接続部５７を介して屋外へスムーズに排気される。排気ガスが屋外へスムーズに排気されることにより、排気ガスに含まれる油分や埃などが枠本体８２の内側面や外壁面側側面８３に付着しにくい。油分が枠本体８２に固着すると、その油分等を栄養とする虫がベントキャップ１１を隙間から枠本体８２内に入り込んで増殖する虞がある。しかし、上述したように、枠本体８２内に油分等が固着しにくいので、レンジフード内に虫が発生しにくく、衛生的である。
【００５２】
＜変形例＞
尚、本発明は、上記実施形態に限定されることなく、色々な応用が可能である。
例えば、上記実施形態では、９０度に屈曲したエルボ管７２を用いたが、４５度に屈曲したエルボ管を排気管７の一部に使用しても良い。
例えば、枠本体５１，８２の外側面に防火部材９を挿入して配置するための凹部を設けても良い。この場合、防火部材９を枠本体５１，８２に接着する手間を省くことができる。例えば、外壁面１０１ｂ側から接続部５７に、防水のためのウェザーキャップを取り付けても良い。この場合、ウェザーカバー１０５を省き、外観を良くすることができる。
例えば、上記実施形態では、円筒形状の接続部５７を可動部材５６に固設している。これに対して、例えば図８に示す変形例のように、接続部９１の形状を、排気管７が接続されるポート９１ａを可動部材５６に接続するポート９１ｂに対して偏心させた形状とし、更に、接続部９１を可動部材５６に対して図中矢印に示すように回転可能に取り付けても良い。この場合、可動部材５６の枠本体５１に対する取付位置と取付方向に加え、接続部９１を可動部材５６に対して回転させることによりポート９１ａの配置を移動させることができるので、排気管７を接続部９１に接続する範囲を広げることができる。これにより、接続部９１に排気管７をより一層接続しやすくなり、配管作業の効率が上記実施形態より更に向上する。
例えば、図９に示すように、枠本体５１の取付開口部５４の周りに沿って防火部材９２を接着等により固定しても良い。この場合、枠本体５１と接続部形成部材５５（可動部材５６、閉鎖部材５８）の間に防火部材９２が介在することになり、接続部５７に接続される排気管７が枠本体５１や壁１０１から隔離される。これにより、排気管７を介して壁１０１に延焼することが防止されるようになる。この場合、防火部材９を省くことにより不燃材の使用量を減らし、コストダウンを図っても良い。また、換気扇穴隠蔽枠を固定する前に枠本体５１，８２に防火部材９２を簡単に取り付けることができる。
例えば、少なくとも接続部５７の材質を不燃材としても良い。すなわち、例えば、接続部５７のみや、接続部５７を含む可動部材５６のみ、接続部５７を含む可動部材５６と閉鎖部材５８のみ、換気扇穴隠蔽枠５全体の材質を不燃材としても良い、この場合、排気管７が接続部５７を介して枠本体５１，８２や壁１０１などと隔離されるので、排気管７から壁１０１への延焼を防止できる。また、防火部材を換気扇穴隠蔽枠に取り付ける作業を省き、レンジフードの交換取り付け作業を簡単に行うことができる。尚この場合、防火部材９を省いでコストダウンしても良い。
例えば、上記実施形態では、排気管７と枠本体５１，８２とが二重構造となり、排気管７と枠本体５１，８２との間に空気層が形成される。そのため、排気管７から枠本体５１，８２を介して壁１０１に延焼しにくい。そこで、防火部材９を省略し、コストダウンを図っても良い。
【符号の説明】
【００５３】
１  レンジフード
２  送風機ユニット
５，８２  換気扇穴隠蔽枠
７  排気管
９，９２  防火部材
１１  ベントキャップ
５６  可動部材
５７，９１  接続部
５８  閉鎖部材
６２  ボルト（固定部材の一例）
６３  ナット（固定部材の一例）
９１ａ，９１ｂ  ポート
１０１  壁
１０１ａ  内壁面
１０１ｂ  外壁面
１０３  換気扇穴
１０５  ウェザーカバー
【図１】
0005476217.tif 000002
【図２】
0005476217.tif 000003
【図３】
0005476217.tif 000004
【図４】
0005476217.tif 000005
【図５】
0005476217.tif 000006
【図６】
0005476217.tif 000007
【図７】
0005476217.tif 000008
【図８】
0005476217.tif 000009
【図９】
0005476217.tif 000010
【図１０】
0005476217.tif 000011
【図１１】
0005476217.tif 000012